(57)【特許請求の範囲】
【請求項１】
上方に集水口が形成され、側方に排水口が形成される集水筒部を備えてなる下水道用臭気防止装置において、
前記集水筒部の排水口回りには同一平面を形成する弁座を有するとともに、前記弁座部は鉛直もしくは下方に向けて外方に傾斜し、前記排水口の上部の集水筒部には複数の第１取付け孔が水平に相並んで開設され、
前記集水筒部の排水口の上部において、該第１取付け孔に対応する第２取付け孔を有するとともに第１ブラケットを有する帯板が、該第１取付け孔と該第２取付け孔とに介装される固定具をもって固定され、
かつ、前記帯板の第１ブラケットに対し、該第１ブラケットに枢着される第２ブラケットを有し、該第２ブラケットを介して前記弁座を覆う平板弁部を有する非変形性の開閉弁本体が取り付けられてなる、
ことを特徴とする下水道用臭気防止装置。
【請求項２】
帯板は少なくとも集水筒部の幅に等しく、第１ブラケットは該帯板の両端に配される請求項１に記載の下水道用臭気防止装置。
【請求項３】
第１ブラケットは帯板の中間位置に対称を保って配される請求項１に記載の下水道用臭気防止装置。
【請求項４】
固定具はボルト・ナットである請求項１ないし３のいずれかに記載の下水道用臭気防止装置。
【請求項５】
固定具はブラインドリベットである請求項１ないし３のいずれかに記載の下水道用臭気防止装置。
【請求項６】
上方に集水口が形成され、側方に排水口が形成される集水筒部を備えてなる下水道用臭気防止装置において、
前記集水筒部の排水口回りには同一平面を形成する弁座を有するとともに、前記弁座部は鉛直もしくは下方に向けて外方に傾斜し、前記排水口の上部の集水筒部には複数の第１取付け孔が水平に相並んで開設され、
前記集水筒部の排水口の上部において、該第１取付け孔に対応する第２取付け孔を有する帯板が、該第１取付け孔と該第２取付け孔とに介装される固定具をもって固定され、
かつ、前記帯板に対し、蝶番を介して前記弁座を覆う平板弁部を有する非変形性の開閉弁本体が取り付けられてなる、
ことを特徴とする下水道用臭気防止装置。
【発明の詳細な説明】
【技術分野】
【０００１】
この発明は、雨水ます、汚水ます、更にはマンホール等の下水道用管きよ付属設備に使用され、下水本管からの臭気の逸出を防止する下水道用臭気防止装置に関し、更に詳しくは、これらの管きょ付属設備の蓋部分に用いられ、簡便に使用することのできる下水道用臭気防止装置に関する。
【背景技術】
【０００２】
本出願人は、この種の下水道用臭気防止装置につき、実公昭６１−２３１０５号公報（文献１）、実公昭６１−４１８２３号公報（文献２）、特開平１１−１３１２１号公報（文献３）及び特開平１１−５０５１９号公報（文献４）をもって提案したところである。
すなわち、既に提案した文献１の下水道用臭気防止装置においては、「集水孔を有する下水道用蓋において、前記集水孔に対応する前記下水道用蓋の下面に、上部が開放され、底部が流水の流下する傾斜面に形成されるとともに、前記傾斜面の向う側面に側方開口部を有し、前記側方開口部の端面に弁座が形成された有底箱状の集水受箱が取り付けられ、前記集水箱の側方開口部には、前記弁座を自重により常時閉弁し、前記集水受箱に流入する流水の水圧により開弁する弾性弁体が取り付けられてなる」構造を採るものである。これにより、下水本管内に発生する臭気は本装置により外部への逸出が阻止されるとともに、雨水に対しては弾性弁体が開弁し、排水機能を円滑に果たすものである。
しかして、これらの下水道用臭気防止装置においては、集水受箱（集水筒部）の側方開口部（排水口）をゴム素材の弾性弁体をもって開閉するものであり、長年の下水道雰囲気内にあって次第に劣化が進み、集水受箱本体の更なる再使用のため、該弾性弁体の取替えがなされる。
該弾性弁体の取替えは、該弁体の固定が嵌め合い（文献１，２）又は固定ピン（文献３，４）での強嵌合状態でなされており、該弁体の取外し、ひいては取付けも作業手間を要し困難を来すものである。そして、該弁体の強固定はまた、弁体の開閉動作を緩慢なものとし、作動性が悪く、改善が期待されている。
【特許文献１】実公昭６１−２３１０５号公報
【特許文献２】実公昭６１−４１８２３号公報
【特許文献３】特開平１１−１３１２１号公報
【特許文献４】特開平１１−５０５１９号公報
【発明の開示】
【発明が解決しようとする課題】
【０００３】
本発明は上記実情に鑑みなされたものであり、この種の下水道用臭気防止装置において、弁体の取付け及び取外し操作が簡便になされ、かつ弁体の作動が円滑になされる下水道用臭気防止装置を提供することを目的とする。
本発明はこのため、弁体を帯板と該帯板に連動する弁本体とに分離し、該帯板を取付け・取外し用に供するという新規な着想を採ることにより、この目的を達成したものである。
併せて、従来のこの種の下水道用臭気防止装置におけるゴム弾性弁の取替えとの継続性も達成でき、再使用を図り得ることも他の目的とする。
【課題を解決するための手段】
【０００４】
本発明の下水道用臭気防止装置は、具体的には次の構成を採る。
すなわち、本発明の第１は、請求項１に記載のとおり、上方に集水口が形成され、側方に排水口が形成される集水筒部を備えてなる下水道用臭気防止装置において、
前記集水筒部の排水口回りには同一平面を形成する弁座を有するとともに、前記弁座部は鉛直もしくは下方に向けて外方に傾斜し、前記排水口の上部の集水筒部には複数の第１取付け孔が水平に相並んで開設され、
前記集水筒部の排水口の上部において、該第１取付け孔に対応する第２取付け孔を有するとともに第１ブラケットを有する帯板が、該第１取付け孔と該第２取付け孔とに介装される固定具をもって固定され、
かつ、前記帯板の第１ブラケットに対し、該第１ブラケットに枢着される第２ブラケットを有し、該第２ブラケットを介して前記弁座を覆う平板弁部を有する非変形性の開閉弁本体が取り付けられてなる、
ことを特徴とする。
上記構成において、帯板と該帯板に連動する開閉主弁体との組付け体は「取付け式開閉弁」を構成する。
上記構成において、
1)帯板は少なくとも集水筒部の幅に等しく、第１ブラケットは該帯板の両端に配されること、
2)第１ブラケットは帯板の中間位置に対称を保って配されること、
3)固定具はボルト・ナットであること、
4)固定具はブラインドリベットであること、
は適宜採択される技術的事項である。
【０００５】
（作用）
本臭気防止装置の設置は、集水筒部を天板を介してまたは介さずに集水孔を有する雨水ます又は汚水ますの蓋部の下方に配して設置する。
本臭気防止装置の集水口は蓋部の集水孔に対応する位置に配される。
下水道から生じる臭気は、取付け式開閉弁の閉弁により阻止される。降雨による流入水は集水筒部の内方から排水口に向けて流れ、取付け式開閉弁を開く。
本装置の組立てにおいて、取付け式開閉弁の集水筒部への装着操作は、集水筒部の第１取付け孔と帯板の第２取付け孔とを対応させ、これらの取付け孔に固定具を装着することによってなされる。
取外しにおいては、固定具の取外しによって簡単になされる。
【０００６】
本発明の第２は、請求項６に記載のとおり、上方に集水口が形成され、側方に排水口が形成される集水筒部を備えてなる下水道用臭気防止装置において、
前記集水筒部の排水口回りには同一平面を形成する弁座を有するとともに、前記弁座部は鉛直もしくは下方に向けて外方に傾斜し、前記排水口の上部の集水筒部には複数の第１取付け孔が水平に相並んで開設され、
前記集水筒部の排水口の上部において、該第１取付け孔に対応する第２取付け孔を有する帯板が、該第１取付け孔と該第２取付け孔とに介装される固定具をもって固定され、
かつ、前記帯板に対し、蝶番を介して前記弁座を覆う平板弁部を有する非変形性の開閉弁本体が取り付けられてなる、
ことを特徴とする。
上記構成において、
1)固定具はボルト・ナットであること、
2)固定具はブラインドリベットであること、
は適宜採択される技術的事項である。
本第２発明は、取付け式開閉弁がブラケット式に限定されるものではなく、所定の機能を備えるものであればよいことを確認するものである。図１０に示す蝶番態様は本発明に属する。
【発明の効果】
【０００７】
本発明の下水道用臭気防止装置によれば、取付け式開閉弁の開閉弁本体の非変形性により従来のゴム弾性弁のようなめくれ、反りが生じず、長期間良好な防臭作用が持続できる。また、取付け式開閉弁は枢軸回りの開閉作用を受け、開閉が円滑になされる。
更に、本防臭装置の組立てにおいて、本取付け式開閉弁の集水筒部への取付けは、帯板を介して固定具を装着することにより容易になされ、効率的な作業がなされる。
また、旧来のゴム弾性弁を有する臭気防止装置の取付け孔をそのまま利用するものであり、旧来の臭気防止装置の再使用が実現される。
【発明を実施するための最良の形態】
【０００８】
本発明の下水道用臭気防止装置の実施の形態を図面に基づいて説明する。
（第１実施形態）
図１〜図６は本発明の下水道用臭気防止装置の一実施形態（第１実施形態）を示す。すなわち、図１〜図３は本下水道用臭気防止装置Ｓの全体の各側面構成を示し、図４〜図６は本下水道用臭気防止装置Ｓの各部の構成を示す。
【０００９】
図１〜図３に示すとおり、この下水道用臭気防止装置（以下「臭気防止装置」という）Ｓは、天板部１、及び２つの側面板２と上下の前面板３，４と底面板５とからなる集水筒部６を含み、該集水筒部６の下部前面板４に取付け式開閉弁７が固定具８を介して装着されてなる。天板部１と集水筒部６とにより、本臭気防止装置Ｓの「箱体」を構成する。
本臭気防止装置Ｓにおいて、流水の吐出される排水口すなわち取付け式開閉弁７の配される側を前部とし、本装置自体をもって左右とする。
【００１０】
以下、各部の細部構成を説明を説明する。
天板部１（図１〜図３参照）
天板部１は、中央においてやや後部寄りに矩形状の挿入口１ａを有する矩形平板状をなす。また、その縁部をもって雨水ますの本体の上縁部に載置される。
該天板部１は図例では平面形状が矩形状をなすが、場合によっては円形状も採りうるものである。
【００１１】
集水筒部６（図１〜図３参照）
集水筒部６は、所定間隔をもって相対峙して配される右左の側面板２、該側面板２の前端に跨がって配される上下の前面板３，４、及び該側面板２の底辺に跨がって配される底面板５の組合わせよりなり、箱空間を形成する。しかして、該集水筒部６は上部が天板部１の挿入口１ａに連通する集水口６ａに形成される。集水筒部６には前面に排水口６ｂが形成され、集水口６ａから流入した雨水は内部空間を通って排水口６ｂより流れ出る。
上下の前面板３，４は、本集水筒部６の側面形状を決める側面板２の前端形状に対応して該側面板２の屈折部を境にして、上下に分かれるが、側面板２の前端形状が直線状であれば上下が一体化され、１枚ものであってもよい。また、底面板５も側面板２の下端形状に対応して曲面状となるが、側面板２の下端が直線状であれば平坦形状を採る。
【００１２】
（側面板２）
側面板２は、所定の形状をなし、所定間隔をもって相対峙して配される。図例では前端部がくびれを有するが、特にこの形状に限定されるものでないことは前述のとおりである。底部についても同様である。
（上部前面板３）
上部前面板３は、側面板２の前端の上部において側面板２間に跨がって配される。該上部前面板３は図例では下部前面板４と別体となっているが、下部前面板４と一体化されうることは前述のとおりである。
【００１３】
（下部前面板４）
下部前面板４は、側面板２の前端の下部において側面板２間に跨がって配されるとともに、排水口６ｂとしての開口が形成され、該開口６ｂ回りに弁体の着座する突条の弁座１０が突設される。弁座１０は同一平面をなす。弁座１０は鉛直面とαの傾斜をなし、下方に向けて外方に傾斜する。なお、αは０°すなわち鉛直状であってもよい。突条体としての弁座１０は場合によっては省略され得るが、この場合には下部前面板４の平坦面が弁座の機能を果す。
該下部前面板４の上部には、複数（少なくとも２、本実施形態では４）の第１取付け孔１２が同一水準を保って開設される。
【００１４】
（底面板５）
底面板５は、側面板２の下端部において、該側面板２間に跨がって配される。該底面板５の上面には適宜流水の流下を導く縦条が形成されるが、任意的事項である。
【００１５】
以上の天板１及び集水筒部６を構成する各部材２，３，４，５は、金属製の薄板が使用される。そのような金属薄板として軟質の素材、通常はトタン（亜鉛メッキ鋼板）、ブリキ板（すずメッキ鋼板）が使用される。特にはステンレスが好適である。これらの薄板の接合部は折返し部をもって、ねじ締め、あるいは溶接をもって接合される。
なお、金属素材に限定されず、他の素材（例えば合成樹脂材）の使用を妨げるものではない。
更には、これらの部材をもって先の文献３，４に示すとおり、組立て式にすることも妨げるものではない。
【００１６】
取付け式開閉弁７（図４〜図６参照）
取付け式開閉弁７は、ブラケットを有する帯板１４と、該帯板１４の第１ブラケット１５に枢着される開閉弁本体１６とからなる。しかして、帯板１４は下部前面板４の上部に固定具８をもって固定され、開閉弁本体１６は帯板１４の第１ブラケット１５に枢着されて下部前面板４の開口６ｂを開閉する。
該取付け式開閉弁７の素材は、非変形性・硬質性の要請から金属あるいは硬質合成樹脂が使用されるが、更に防錆性の観点からステンレス鋼が推奨される。
【００１７】
詳しくは、帯板１４は硬質の帯状体よりなり、両端に直角状に折り曲げられ前面に突出する第１ブラケット１５を有する。帯板１４には下部前面板４の上部の第１取付け孔１２に対応して同位相をもって第２取付け孔１８が開設される。取付け定位置において、第１取付け孔１２と第２取付け孔１８とは一致され、両孔１２，１８にわたって固定具８が装着される。第１ブラケット１５にはピン孔１９が開設される。
開閉弁本体１６は、弁座１０を覆う実質的に平板状をなす平板弁部２１と、該平板弁部２１の両側の上端において上方延設される第２ブラケット２２とからなる。平板弁部２１は、弁座１０を十分に覆う所定の長さと幅を有する方形状の平板部２３を主体とし、本実施形態では両側縁への折り曲げ部２３ａと下方縁での折り曲げ部２３ｂとを有する。
第２ブラケット２２は平板部２３の側縁折り曲げ部２３ａの上端に連接し、一体に固定される。第２ブラケット２２の相互の間隔は帯板１４の両側の第１ブラケット１５よりも若干大きくとられる。
第２ブラケット２２には第１ブラケット１５のピン孔１９に対応してピン孔２４が開設される。第１ブラケット１５と第２ブラケット２２とはワッシャー２５を介して互いに対接され、それらのピン孔１９，２４にピン２６が枢着される。
【００１８】
取付け式開閉弁７はこの構成により帯板１４と開閉弁本体１６とが一体となり、開閉弁本体１６はピン２６を回動中心となって開閉動作をなす。
更に、取付け式開閉弁７はブラケット１５，２２を介しての枢着となり、開閉弁本体１６の回転中心が前方へ突出して偏心するので、開閉弁本体１６の開き動作が迅速なものとなる。
【００１９】
固定具８
固定具８は、取付け式開閉弁７を集水筒部６の前面板４の所定位置に取り付ける。本実施形態ではボルト２７及びナット２８を採り、該取付け式開閉弁７を前面板４に対し、着脱可能とする。
すなわち、前面板４の第１取付け孔１２と本取付け式開閉弁７の第２取付け孔１８とを一致させ、これらの孔１２，１８にボルト２７を装着し、ナット２８を締め込んで取付け式開閉弁７の取付けをなす。ボルト２７は前面板４の背面から装着され、そのねじ部を前面を突出させ、適宜ワッシャーを介装させ、ナット２８を螺合し、締め込んでなす。
この固定具８での取付けにより、取付け式開閉弁７は所定の配設関係を採る。すなわち、該取付け式開閉弁７の平板部２３は弁座１０に均等に当接し、密閉性を保持する。また、側方折り曲げ部２３ａ及び下方折り曲げ部２３ｂは下部前面板４に回り込み、密閉性を高める。
【００２０】
固定具８はボルト・ナットに限定されるものではなく、他の固定手段を除外するものではない。
すなわち、リベット、特にはブラインドリベット（ＪＩＳ  Ｂ  ０１４７１（２００４年）制定）を用いることはその一好適例である。該ブラインドリベットはリベットの打込み具（リベッター）の使用とともになされる。この場合、第１取付け孔１２の孔径が大きいとき、適宜前面板４の背面に小孔のワッシャーを当てリベッターを使用し、該ワッシャー・前面板４・帯板１４を一体としてリベットのかしめにより固定する。このリベッターの使用によれば取付け式開閉弁７の固定は迅速になされる。
【００２１】
取付け式開閉弁７の取付け・取外し操作
本取付け式開閉弁７の集水筒部６への取付け操作は次の手順、要領をもってなされる。なお、本操作は工場・現場を問わない。
取付け
先ず固定具８のボルト２７を第１取付け孔１２に差し通す。
取付け式開閉弁７を集水筒部６の前面に臨ませ、所定状態に保持し、その第２取付け孔１８をボルト２７のねじ杆部に差し込む。ナット２８を螺合し、締め込む。
第１及び第２取付け孔１２，１８相互の対応が定まっているので、取付け式開閉弁７は固定具８を介して所定の取付け状態に保持される。
取外し
固定具８のナット２８を緩め、取付け式開閉弁７を取り外す。
取替え
旧来の既設の臭気防止装置において、老朽化もしくは損傷した弾性弁体を取り替える場合、旧来の臭気防止装置の取付け孔位置は本臭気防止装置Ｓと同位置にあり、旧位置をそのまま利用できるものであり、弾性弁体を取り外した後、上記の取付け操作により取付け式開閉弁７の取付けがなされる。
既設の本臭気防止装置Ｓでは取付け式開閉弁７の取替え操作は更に容易である。
【００２２】
（本臭気防止装置Ｓの設置）
叙上の構成よりなる本臭気防止装置Ｓは雨水ます・汚水ますに対して、次の要領で設置される。
図７はその設置要領を示し、図においてＭは雨水ます、Ｒは道路面、Ｐは舗道面である。雨水ますＭは本体１００と該本体１００の上縁に載置される蓋体１０２とからなり、該本体１００下部から道路下の下水道本管に連通する取付け管１０４が配される。蓋体１０２には集水孔１０２ａが開設される。
本臭気防止装置Ｓは、その天板部１の縁部を雨水ますＭの本体１００の上縁に載置し、集水筒部６を内部空間に配し、蓋体１０２を天板部１上に載置する。天板部１は薄板をなすので、蓋体１０２の設置に何らの影響を与えない。
【００２３】
（本臭気防止装置Ｓの機能）
取付け管１０４から発生する臭気は、本臭気防止装置Ｓにおける取付け式開閉弁７により閉塞され、地上へは逸出しない。
降雨において、雨水は蓋体１０２の集水孔１０２ａより流入し、本臭気防止装置Ｓの集水口６ａより集水筒部６内に流れ込み排水口６ｂに至る。この流水圧は排水口６ｂにおける取付け式開閉弁７の開閉弁本体１６を開き、雨水は雨水ますＭから取付け管１０４を介して下水道本管へ流れ出る。
【００２４】
（本臭気防止装置Ｓの効果）
本実施形態の下水道用臭気防止装置Ｓによれば、取付け式開閉弁７の開閉弁本体６の非変形性により従来のゴム弾性弁のようなめくれ、反りが生じず、長期間良好な防臭作用が持続できる。
また、本防止装置Ｓの組立てにおいて、取付け式開閉弁７は帯板１４を介して、固定具８の装着のみで容易になされ、良好な作業性を発揮する。また、本固定具８は取外しも容易であり、取替えに便利である。なお、リベッターの使用によれば取付け式開閉弁７の固定は迅速になされる。
更に、取付け式開閉弁７の開閉につき、その枢着部により開閉が円滑になされ、耐久性が向上する。
本実施形態での取付け式開閉弁７はブラケット１５，２２を介しての枢着となり、開閉弁本体１６の回転中心が前方へ突出して偏心するので、開閉弁本体１６の開き動作が迅速なものとなり、排水作用が向上する。
本取付け式開閉弁７の装着は、固定具８の使用とともに旧来のゴム弾性弁を有する臭気防止装置に適用され、旧来の臭気防止装置の再使用が実施される。
また、本臭気防止装置Ｓを設置した汚水ますは、建物内からの汚水流入管を有する外は図７と実質的に同一構成をなし、その蓋部１０２は旧来の密閉型と異なり、集水孔１０２ａを有するものが使用され、場合によってはグレーチングの使用も可能である。そして、この汚水ますでは臭気の外部への逸出が防止されるとともに、降雨において集水がなされ、地域での集水機能の増大化に寄与し、画期的である。
【００２５】
（他の実施態様１）
図７に示す雨水ます・汚水ますは、その蓋体１０２が方形状をなし、これに対して本臭気防止装置Ｓの天板部１も方形状をなすが、雨水ます・汚水ますの蓋体１０２が円板状をなす場合にあっては本臭気防止装置Ｓの天板部１も円板状を採る。この臭気防止装置Ｓにおいては、挿入口１ａを含めそれ以外の構成は先の実施例の態様に準じる。この場合においては円形蓋体１０２の集水口１０２ａは円形天板部１の挿入口１ａの領域内に含まれることは勿論である。
【００２６】
（他の実施態様２）（図８，図９参照）
本実施形態では、取付け式開閉弁７において、開閉弁本体１６を帯板１４の両端の第１ブラケットに取り付けるものであるが、図８及び図９に示すように、中間ブラケットの態様を採ることができる。
本態様では、帯板１４の第１ブラケット１５Ａを中間位置に設け、該第１ブラケット１５Ａにピン２６をもって回動可能に枢着される第２ブラケット２２Ａを介して開閉弁本体１６を取り付けることもできる。２７は第ブラケット２２Ａと開閉弁本体１６との溶着部である。
【００２７】
（第２実施形態）（図１０参照）
図１０は本発明の下水道用臭気防止装置Ｓの他の実施形態（第２実施形態）を示す。
この臭気防止装置Ｓの開閉弁７Ａにおいて、帯板１４Ａはブラケットを有さず、第２取付け孔１８を有する。開閉弁本体１６Ａは先の実施形態における平板部２３を有すれば足りる。帯板１４Ａと開閉弁本体１６Ａとに１又は複数（本実施形態では２）の蝶番４０が取り付けられる。該蝶番４０を介して開閉弁本体１６Ａはピン４０ａを中心に開閉動する。
本実施形態においても、開閉弁７Ａを帯板１４Ａを介して集水筒部６に簡単に取り付ける利点を有する。
【００２８】
本発明は叙上の実施の形態にのみ限定されるものではなく、本発明の基本的技術思想の範囲内で種々設計変更が可能である。
【図面の簡単な説明】
【００２９】
【図１】本発明の下水道用臭気防止装置の一実施形態の平面図（図２、図３の１方向矢視図）。
【図２】その正面図（図１、図3 の２方向矢視図）。
【図３】その側面図（図１、図２の３方向矢視図）。
【図４】図２の４部分拡大図。
【図５】図４の５方向矢視図。
【図６】図４の６−６線断面図。
【図７】本下水道用臭気防止装置の雨水ますへの設置要領を示す図。
【図８】取付け式開閉弁の他の態様の正面図。
【図９】図８の９−９線断面図。
【図１０】本発明の下水道用臭気防止装置の他の態様を示し、(a) 図は正面図、(b) 図は断面図。
【符号の説明】
【００３０】
Ｍ…下水道管渠用枡、Ｓ…下水道管渠用防臭装置、１…天板部、２…側面板、３，４…前面板、６…集水筒部、６ｂ…排水口、７…取付け式開閉弁、１２…第１取付け孔、１４…帯板、１５，１５Ａ…第１ブラケット、１６…開閉弁本体、１８…第２取付け孔、２２，２２Ａ…第２ブラケット、４０…蝶番
【図１】
0004515993.tif 000002
【図２】
0004515993.tif 000003
【図３】
0004515993.tif 000004
【図４】
0004515993.tif 000005
【図５】
0004515993.tif 000006
【図６】
0004515993.tif 000007
【図７】
0004515993.tif 000008
【図８】
0004515993.tif 000009
【図９】
0004515993.tif 000010
【図１０】
0004515993.tif 000011